(57)【要約】【課題】  使用者が液体燃料によって手を汚すことなく、着火しようとする燃芯の端を湿らせることができ、燃芯の端を湿らせる際に液体燃料が漏れ出すことが無く、かつ、燃芯の炎の熱が、液体燃料を入れた容器にほとんど伝わることの無い、ランプ用燃芯の保持部材を提供する。【解決手段】  ランプ用燃芯の保持部材１は、ランプ用燃芯４を内側に通すことができるように構成された耐熱ガラス製のスリーブ２と、当該スリーブを通すための貫通孔が設けられた合成樹脂製の栓部３と、からなるランプ用燃芯の保持部材であって、前記栓部３に設けられた貫通孔の内側に前記スリーブ２が取り付けられている。【選択図】  図１
0003140663.tif 000002
【実用新案登録請求の範囲】
【請求項１】
ランプ用燃芯を内側に通すことができるように構成された耐熱ガラス製のスリーブと、当該スリーブを通すための貫通孔が設けられた合成樹脂製の栓部と、からなるランプ用燃芯の保持部材であって、前記栓部に設けられた貫通孔の内側に前記スリーブが取り付けられていることを特徴とする、ランプ用燃芯の保持部材。
【請求項２】
前記栓部に、フランジ部が設けられていることを特徴とする、請求項１に記載のランプ用燃芯の保持部材。
【請求項３】
前記栓部と前記スリーブとの間に空気を通すための溝を、前記栓部に設けられた貫通孔の内側面に形成したことを特徴とする、請求項２に記載のランプ用燃芯の保持部材。
【請求項４】
前記栓部を構成する合成樹脂が、シリコンゴムであることを特徴とする、請求項３に記載のランプ用燃芯の保持部材。
【考案の詳細な説明】
【技術分野】
【０００１】
本考案は、ランプ用の燃芯、すなわち、毛細管現象を利用して、ランプの炎に液体燃料を供給するための紐状体を、ランプに保持するための部材に関する。特に、本考案は、ランプの燃料として、様々な色の炎を呈することができる有色火炎燈油（特許文献１）を使用する際に好適な、ランプ用燃芯の保持部材に関する。
【背景技術】
【０００２】
従来より、ランプ、すなわち、液体燃料に燃芯の一端を浸し、その燃芯の他端に炎を灯して使用される器具が知られている。例えば、アルコールランプは、その代表的なものの一つである。
【０００３】
このようなランプは、通常、橙色の炎を呈するものであるが、このようなランプに、赤、緑、青等といった橙色以外の炎であって、かつ、これらの色を鮮明に呈するようにできるランプ用の液体燃料として、特許文献１に記載された任鎭萬氏の創作に係る特許発明「有色火炎燈油の組成物とその製造方法」（以下、これを「特許文献１の発明」という。）が存在している。
【０００４】
特許文献１の発明を利用すれば、従来のランプやキャンドル等では、到底、見ることができなかった色の炎を、安価且つ簡便に呈することができる。そのため、特許文献１の発明を利用した製品は、非常に付加価値が高く、人気のあるものとなっている。
【０００５】
ここで、図５に、特許文献１の発明を利用した製品（以下、これを「従来製品」という。）の一例を示した。なお、図５において、２０は従来製品、２１はランプ用燃芯の保持部材、２２は燃芯、２３は特許文献１の発明に係る液体燃料、２４は液体燃料２３を入れるための容器、をそれぞれ示している。
【０００６】
ところで、このような従来製品２０を使用する際は、着火前において、着火しようとする燃芯２２の端２２ａを、液体燃料２３によって湿らせる必要がある。これは、従来製品２０を初めて使用する際や、前回の使用から所定の時間が経過した後は、液体燃料２３の性状により、着火しようとする燃芯の端２２ａまでは、液体燃料２３が染み込んでいないことによるものである。（但し、一度、着火してしまえば、次に炎が消えるまで、このように燃芯の端２２ａを湿らせる必要は無い。）
【０００７】
従って、従来製品２０の使用を開始する際は、燃芯２２を手で取って逆さまに持ち、燃芯の端２２ａを、液体燃料２３に浸けて湿らすようにしている。しかしながら、これによると、燃芯２２を取り出す手間が掛かるうえ、燃芯の端２２ａを液体燃料２３に浸ける際に、燃芯２２を持つ手に液体燃料２３が付着してしまい、手が汚れてしまう、という問題がある。
【０００８】
このような問題を解決する方法として、アルコールランプのキャップのように、燃芯２２を覆うことができるキャップ（図示せず）を用意し、これを燃芯２２に被せ、所定の時間、容器２４ごと逆さまにすることで、燃芯の端２２ａまで液体燃料２３を染み込ませる、という方法も考えられる。しかしながら、この方法によると、保持部材２１と容器２４の開口部２４ａとの間から、液体燃料２３が漏れ出してしまう、という問題が生じてしまう。
【０００９】
なお、このような液体燃料２３の漏れ出しを防ぐ方法として、保持部材２１の外周面と容器２４の開口部２４ａとを密接させ、これらの間に隙間が生じないように保持部材２１を構成することも考えられる。しかしながら、保持部材２１は、通常、燃芯２２における炎の熱に耐えられるよう、耐熱ガラス等によって構成されるため、もし、保持部材２１の外周面と容器２４の開口部２４ａとが密接できるように保持部材２１を構成すると、容器２４にまで、炎の熱の大部分が伝わってしまい、この熱によって、容器２４が耐熱ガラス等によって構成されていない場合には、容器２４が破損してしまう、という問題も生じることになる。
【００１０】
本考案者は、このような実情のもと、特許文献１の発明を実施するために、最も適した製品の形態について鋭意検討を重ねた。その結果、ランプ用燃芯の保持部材を、ランプ用燃芯を内側に通すことができるように構成された耐熱ガラス製のスリーブと、当該スリーブを通すための貫通孔が設けられた合成樹脂製の栓部とから構成すること等によって、前述したような問題を解決できる、という知見を得、本考案を創作するに至った。
【００１１】
なお、本考案を出願するにあたって、出願人において、本考案と関連すると認められる技術分野について、過去の特許文献等を調査したところ、下記の文献を発見することができたが、本考案に係る技術的思想等を詳述したものについては、発見することができなかった。
【００１２】
【特許文献１】特許第３７６４３９１号公報
【特許文献２】実用新案登録第３０９８７３８号公報
【特許文献３】実用新案登録第３０６９６０１号公報
【考案の開示】
【考案が解決しようとする課題】
【００１３】
本考案は、特許文献１の発明を実施するための製品において使用されるランプ用燃芯の保持部材であって、使用者が液体燃料によって手を汚すことなく、着火しようとする燃芯の端を湿らせることができ、燃芯の端を湿らせる際に液体燃料が漏れ出すことが無く、かつ、燃芯の炎の熱が、液体燃料を入れた容器にほとんど伝わることが無い、ランプ用燃芯の保持部材を提供することを目的とする。
【課題を解決するための手段】
【００１４】
そのための手段として、本考案に係るランプ用燃芯の保持部材は、ランプ用燃芯を内側に通すことができるように構成された耐熱ガラス製のスリーブと、当該スリーブを通すための貫通孔が設けられた合成樹脂製の栓部と、からなるランプ用燃芯の保持部材であって、前記栓部に設けられた貫通孔の内側に前記スリーブが取り付けられていることを特徴としている。
【００１５】
なお、本考案は、前記栓部にフランジ部が設けられていること、また、前記栓部と前記スリーブとの間に空気を通すための溝を、前記栓部に設けられた貫通孔の内側面に形成したこと、さらに、前記栓部を構成する合成樹脂が、シリコンゴムであること、も特徴としている。
【考案の効果】
【００１６】
以上で述べたように、本考案に係るランプ用燃芯の保持部材は、特許文献１の発明を実施するための製品を使用する者の手を液体燃料によって汚すことなく、着火しようとする燃芯の端を湿らせることができ、燃芯を湿らせる際に液体燃料が漏れ出すことが無く、かつ、燃芯の炎の熱が液体燃料を入れた容器にほとんど伝わることが無い、という優れた効果を発揮することができる。
【考案を実施するための最良の形態】
【００１７】
以下、添付図面に沿って、本考案の「ランプ用燃芯の保持部材」を実施するための最良の形態について説明する。図１は、本考案の実施形態に係るランプ用燃芯の保持部材１の外観図である。そして、この保持部材１は、スリーブ２と、栓部３とから構成されている。なお、図１において、４は、ランプ用の燃芯を示している。また、図２に、保持部材１の分解図を、さらに、図３に、栓部３の平面図と断面図を示した。
【００１８】
スリーブ２は、耐熱ガラスからなり、図示されているように、燃芯４を内側に通すことができるように構成されている。また、栓部３は、シリコンゴムからなり、スリーブ２を通すための貫通孔５が設けられている。そして、この貫通孔５の内側面には、スリーブ２と栓部３との間に空気を通すための溝６が形成されている。さらに、栓部３の一端には、フランジ部７が設けられている。
【００１９】
保持部材１は、以上のような構成からなり、図４に示されているように、液体燃料を入れるための容器１０の開口部１１の内側に挿入されて使用される。なお、図４において、１２は、キャップを示している。
【００２０】
なお、以上の実施形態におけるスリーブ２をなす耐熱ガラスとしては、コーニング社の「パイレックス (PYREX)」（登録商標）等のガラス製品を使用することができる。
【００２１】
また、以上の実施形態においては、栓部３にシリコンゴムを使用しているが、シリコンゴムと同様の熱遮断効果を有する物、すなわち、燃芯４の熱が容器１０に伝わることを相当程度防ぐことができる物であれば、シリコンゴム以外の合成ゴムや、その他の合成樹脂を使用しても構わない。
【００２２】
さらに、以上の実施形態においては、栓部３に、フランジ部７が設けられているが、栓部３が、容器１０の開口部１１の内側に挿入された際に、開口部１１の内側に密接し、かつ、確実に固定されるように構成されていれば、フランジ部７は無くても構わない。但し、栓部３にフランジ部７を設けることによって、栓部３と開口部１１との密接度を高めることができ、容器１０を逆さにする際、開口部１１からの液体燃料の漏れを、より確実に防止することができる。
【００２３】
なお、栓部３には、溝６が設けられており、これが、スリーブ２と栓部３との間に空気を通し、容器１０における通気孔としての機能を果たしている。この機能によって、炎から燃芯４を介して伝わり、容器１０内において滞留してしまうおそれのある熱を、容器１０の外側へと、効率的に逃がすことができるようになっている。
【００２４】
また、栓部３に溝６を設けることによって、より効率的に、燃芯４に液体燃料を供給し、ランプの炎を安定的に燃焼させることも可能となる。この効果の作用は、必ずしも明らかではないが、溝６が、通気孔としての機能を果たすことによって、容器１０が密閉状態とはならないことに起因するものであると考えられる。
【００２５】
本考案によれば、ランプ用の燃芯から液体燃料を入れるための容器に伝わる熱を、ほとんど遮断することができる。そのため、ランプに炎を灯してから所定の時間が経過した後であっても、容器が熱くなることが無く、誰でも安全に、ランプを持ち運ぶことができることになる。
【００２６】
また、燃料を入れるための容器が熱くなることが無いため、当該容器を、耐熱ガラス製のものとする必要が無く、ソーダガラス製や合成樹脂製のものとすることができる。耐熱ガラスは、加工性が乏しいため、任意の形状にしたり、装飾を施したりすることが困難であったが、本考案によれば、容器をソーダガラス製や合成樹脂製のものとすることができるので、極めて容易に、容器を任意の形状にしたり、容器に装飾を施したりすることができ、デザイン的にも優れた容器やランプを製作することが可能となる。
【図面の簡単な説明】
【００２７】
【図１】保持部材１の外観図。
【図２】保持部材１の分解図。
【図３】栓部３の平面図及び断面図。
【図４】保持部材１の使用態様の一例を示した図。
【図５】従来製品２０の概略図。
【符号の説明】
【００２８】
１：保持部材
２：スリーブ
３：栓部
４：燃芯
５：貫通孔
６：溝
７：フランジ部
１０：容器
１１：開口部
１２：キャップ
２０：従来製品
２１：保持部材
２２：燃芯
２２ａ：燃芯の端
２３：液体燃料
２４：容器
２４ａ：開口部
【図１】
0003140663.tif 000003
【図２】
0003140663.tif 000004
【図３】
0003140663.tif 000005
【図４】
0003140663.tif 000006
【図５】
0003140663.tif 000007